(57)【要約】【課題】確実に防水・遮音・気密効果を得ることができる気密遮音窓の提供。【解決手段】壁の中に嵌め込まれた外部窓枠に第一面網戸サッシ、第二面外側窓枠及び第三面外側窓枠を嵌設し、且つ、該外部窓枠の軌道面に防水・遮音効果を提供する２つの気密シーリングと、排水機能・気密効果を形成する気密片を設け、そのうち、該２つの気密シーリングは内部に軟性の変形可能な空洞部を備え、それぞれ該第二面外側窓枠と該第三面外側窓枠に対応する外部窓枠の軌道上端側面及び軌道下端側面に設置され該気密片が該第二面外側窓枠及び該第三面外側窓枠間に設置され、該第二面外側窓枠及び該第三面外側窓枠のローラー部材を該外部窓枠の軌道に対応させて設置すると、該２つの気密シーリング及び該気密片が防水・遮音効果を生み、優れた阻隔作用を形成することを特徴とする。【選択図】図４
0003117114.tif 000002
【実用新案登録請求の範囲】
【請求項１】
壁の中に嵌め込まれた外部窓枠に、第一面網戸サッシ、第二面外側窓枠及び第三面外側窓枠を嵌設し、且つ、該外部窓枠の軌道面に防水・遮音効果を発揮する２つの気密シーリングと、排水機能・気密効果を形成する気密片を設け、そのうち、該２つの気密シーリングが該第二面外側窓枠と該第三面外側窓枠に対応する外部窓枠の軌道上端側面及び軌道下端側面に設置され、且つ、該気密片が該外部窓枠の該第二面外側窓枠及び該第三面外側窓枠に対応する下部に設置され、該２つの気密シーリング内部に軟性の変形可能な空洞部を設け、該気密片が該第二面外側窓枠及び該第三面外側窓枠間に設置され、該第二面外側窓枠及び該第三面外側窓枠のローラー部材を該外部窓枠の軌道に対応させて設置することによって、該２つの気密シーリング及び該気密片が防水・遮音効果を生み、優れた阻隔作用を形成する構造としたことを特徴とする気密遮音窓。
【請求項２】
前記２つの気密シーリング及び気密片を、さらに、複数の窓を結合する枠体、1枚の窓を結合する枠体、１枚のドア板を結合する枠体、複数のドア板を結合する框体及び関連の屋内及び屋外で使用される枠体構造に配置した請求項1に記載の気密遮音窓。
【請求項３】
前記気密遮音窓がさらに、外部窓枠に三組以上の気密シーリング及び気密片を設け、気密遮音窓が外界の雨風及び空気の対流の影響を受けるとき、優れた防水・遮音・気密効果を発揮する機能を果たす構造としたことを特徴とする請求項1に記載の気密遮音窓。
【考案の詳細な説明】
【技術分野】
【０００１】
本考案は気密遮音窓に関し、詳細には、外側窓枠に２つの気密シーリングを設け、且つ、気密片を第二面外側窓枠及び第三面外側窓枠の間に設置し、該第二面外側窓枠及び該第三面外側窓枠のローラー部材が外部窓枠の軌道面に対応して嵌入されたとき、該軌道面に設置された２つの気密シーリング及び気密片が防水と遮音の気密効果を形成する、気密遮音窓に関する。
【背景技術】
【０００２】
従来の遮音気密窓Ａは、図１及び図２に示すように、上横フレームＡ１及び下横フレームＡ２の軌道槽Ａ３に防水・遮音効果を形成する単一の防水シーリングＡ４を設置し、且つ、該防水・遮音効果を形成する単一防水シーリングＡ４は、外枠Ａ５の軌道面Ａ６を利用し、屋外の雨水が遮音気密窓Ａに進入すると、該単一の防水シーリングが排水及び遮音の効果を発揮するものである。しかしながら、このような簡易的に設置された単一の防水シーリングＡ４は台風のときなど台風の正負双方の風圧の影響を受け、遮音気密窓Ａ内部の単一防水シーリングＡ４から水が溢れ出たり、風が進入したりというよくない状況が発生しやすい。このため、単一防水シーリングＡ４では確実な防水と遮音ができる気密効果を得ることはできない。
【０００３】
このため、上述の欠点をいかに排除するかが、本考案が解決する技術的問題である。
【考案の開示】
【考案が解決しようとする課題】
【０００４】
本考案の目的は、確実に防水・遮音・気密効果を得ることができる、気密遮音窓を提供することにある。
【課題を解決するための手段】
【０００５】
本考案の気密遮音窓は、壁の中に嵌め込まれた外部窓枠に第一面網戸サッシ、第二面外側窓枠及び第三面外側窓枠を嵌設し、且つ、該外部窓枠の軌道面に防水・遮音効果を提供する２つの気密シーリングと、排水機能・気密効果を形成する気密片を設け、そのうち、該２つの気密シーリングは内部に軟性の変形可能な空洞部を備え、それぞれ該第二面外側窓枠と該第三面外側窓枠に対応する外部窓枠の軌道上端側面及び軌道下端側面に設置され該気密片が該第二面外側窓枠及び該第三面外側窓枠間に設置され、該第二面外側窓枠及び該第三面外側窓枠のローラー部材を該外部窓枠の軌道に対応させて設置すると、該２つの気密シーリング及び該気密片が防水・遮音効果を生み、優れた阻隔作用を形成することを特徴とする。    
【考案の効果】
【０００６】
本考案の進歩性と実用性をよりはっきりと示すため、以下従来品と比較して分析する。
《従来品の欠点》
一、遮音気密窓内部に単一の防水シーリングのみを利用して防水・遮音の効果を得ようとしている。
二、台風期間に正負両方向の風圧の影響を受け、水が溢れ出たり、風が漏れたりしやすい。
三、単一の防水シーリングの設置では確実に防水・遮音・気密効果を得ることができない。
【０００７】
《本考案の利点》
一、窓枠内部の軌道面に２つの気密シーリング及び気密片を設けている。
二、屋外の正負両方向の風圧の影響による進水や風の漏れを発生しにくい。
三、自然な落水及び風圧の原理を利用し、気密片に排水と水の進入を防ぐ機能を形成する。
四、軌道面に設置した２つの気密シーリングが良好な気密・防水・遮音の効果を形成する。
五、確実に防水・遮音・気密作用を得ることができる。
六、進歩性と実用性を兼ね備え、産業的競争力を向上する。
【考案を実施するための最良の形態】
【０００８】
以下、本考案について図面及び具体的な実施例に基づき、詳細に説明する。本考案は気密遮音窓を提供するものであり、図３及び図４に示すように、本考案の気密遮音窓Ｂは、壁の中に嵌め込まれた外部窓枠Ｃ、第一面網戸サッシＤ、第二面外側窓枠Ｅ及び第三面外側窓枠Ｆから構成される。
【０００９】
その特徴は、壁の中に嵌め込まれた外部窓枠Ｃに気密遮音窓Ｂの第一面網戸サッシＤ、第二面外側窓枠Ｅ及び第三面外側窓枠Ｆを対応させて嵌め込み、且つ、該外部窓枠Ｃの軌道面Ｃ１に気密遮音窓Ｂに防水・遮音効果を提供する２つの気密シーリングＣ２と、排水機能と気密効果を提供する気密片Ｃ４を設けることにある。
【００１０】
気密遮音窓Ｂに防水・遮音効果を提供する２つの気密シーリングＣ２は、軟性の変形可能な空洞部Ｃ３を備え、該第二面外側窓枠Ｅ及び第三面外側窓枠Ｆのローラー部材Ｉが外部窓枠Ｃの軌道面Ｃ１に嵌設され、左右の外側窓枠Ｇ、Ｈに対応して気密・遮音・防水効果を形成するとき、該２つの気密シーリングＣ２と、第二面外側窓枠Ｅと第三面外側窓枠Ｆ間の気密片Ｃ４が気密遮音窓Ｂに防水・遮音・気密効果を提供する。
【００１１】
本考案の実施方法を図５及び図６に示す。壁の中に嵌め込まれた外部窓枠Ｃは、気密遮音窓Ｂに防水・遮音効果を提供する２つの気密シーリングＣ２と、排水機能と気密効果を提供する気密片Ｃ４を備え、第二面外側窓枠Ｅ及び第三面外側窓枠Ｆが、台風のときなどに外界の風雨及び空気の対流の影響を受けるとき、該軌道面Ｃ１の防水・遮音効果を提供する２つの気密シーリングＣ２と、排水機能と気密効果を提供する気密片Ｃ４が、気密遮音窓Ｂに防水・遮音・気密作用を形成し、該２つの気密シーリングＣ２及び気密片Ｃ４が良好な阻隔作用を形成することができる。
【００１２】
防水・遮音効果を提供する２つの気密シーリングＣ２は、軟性の変形可能な空洞部Ｃ３（図３参照）を備えており、且つ、第二面外側窓枠Ｅ及び第三面外側窓枠Ｆのローラー部材Ｉを外側窓枠Ｃの軌道面Ｃ１に嵌設したとき、該気密遮音窓Ｂの左右外側窓枠Ｇ、Ｈが２つの気密シーリングＣ２により防水・遮音・気密作用を得、且つ、該２つの気密シーリングＣ２と、第二面外側窓枠Ｅと第三面外側窓枠Ｆ間の気密片Ｃ４は、この気密遮音窓Ｂが閉じられたとき、防水・遮音・気密効果を形成することができる。
【００１３】
図７に示すように、軌道面Ｃ１に設置された気密片Ｃ４が台風期間に外界空気の対流の正負両方向の風圧を受けると、軌道面Ｃ１の気密片Ｃ４は自然に排水と水の進入を防ぐ作用を持ち、且つ、気密片Ｃ４が空気の対流の影響を受けるため、該外部窓枠Ｃ内部の軌道面Ｃ１に設置された２つの気密シーリングＣ２及び気密片Ｃ４が同時に気密遮音窓Ｂに防水・遮音・気密効果を提供し、該２つの気密シーリングＣ２及び気密片Ｃ４がうまく応用される。
【００１４】
以上で述べた説明は、本考案の最良の実施例に基づくものであり、本考案の特許範囲を制限するものではなく、本考案の明細書及び図面の内容を運用した同等効果を得る構造を直接または間接的にその他関連技術領域に応用したものはすべて、本考案の要旨の範囲内に含まれるものとみなす。
【００１５】
上述のように、本考案は従来技術を打破する構造を用い、確実に目標とする増進効果を得ることができ、且つ、関連技術を熟知した者でなくとも容易に理解することができ、さらに、本考案はその出願以前に公開されたことがなく、その進歩性、実用性は実用新案登録出願の要件を満たしているため、法に基づきここに実用新案登録を出願するものである。
【図面の簡単な説明】
【００１６】
【図１】従来品の立体図である。
【図２】従来品の断面図である。
【図３】本考案の立体図である。
【図４】本考案の断面図である。
【図５】本考案の部分拡大断面図である。
【図６】本考案の動作を示す部分拡大断面図である。
【図７】本考案の別の動作を示す部分拡大断面図である。
【符号の説明】
【００１７】
Ａ        遮音気密窓
Ａ１      上横フレーム
Ａ２      下横フレーム
Ａ３      軌道槽
Ａ４      防水シーリング
Ａ５      外枠
Ａ６      軌道面
Ｂ        気密遮音窓
Ｃ        外部窓枠
Ｃ１      軌道面
Ｃ２      ２つの気密シーリング
Ｃ３      空洞部
Ｃ４      気密片
Ｄ        第一面網戸サッシ
Ｅ        第二面気密サッシ
Ｆ        第三面気密サッシ
Ｇ、Ｈ    外側窓枠
Ｉ        ローラー部材
【図１】
0003117114.tif 000003
【図２】
0003117114.tif 000004
【図３】
0003117114.tif 000005
【図４】
0003117114.tif 000006
【図５】
0003117114.tif 000007
【図６】
0003117114.tif 000008
【図７】
0003117114.tif 000009